【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
通気性の膜であって、
母材溶液と
活性粒子が該母材溶液の通気性を改善することができる、該母材溶液と接触した複数の活性粒子と、
取り除き可能なカプセル材料を取り除く前に該活性粒子の少なくとも実質的な一部が非活性化されるのを防ぐのに有効な量の少なくとも１つの取り除き可能なカプセル材料とを含み、
その際、該活性粒子の少なくとも一部を再活性化して該膜の通気性を改善するために該取り除き可能なカプセル材料が取り除き可能である、膜。
【請求項２】
前記母材が非溶液状態に変換されると防水性特性を示し、前記膜が防水性で通気性の膜である請求項１に記載の膜。
【請求項３】
前記膜が、少なくとも部分的には前記活性粒子によって帯電防止特性を持つ請求項１に記載の膜。
【請求項４】
前記膜が、少なくとも部分的には前記活性粒子によってステルス特性を持つ請求項１に記載の膜。
【請求項５】
前記膜が、少なくとも部分的には前記活性粒子によって臭気吸収特性を持つ請求項１に記載の膜。
【請求項６】
前記膜が、少なくとも部分的には前記活性粒子によって速乾性特性を持つ請求項１に記載の膜。
【請求項７】
前記母材溶液が、ポリウレタン溶液、ポリアクリル溶液、１，３プロパンジオールテレフタレート溶液及び任意のこれらの好適な組み合わせから成る群から選択される請求項１に記載の膜。
【請求項８】
前記活性粒子が活性炭を含む請求項１に記載の膜。
【請求項９】
前記活性粒子がゼオライトを含む請求項１に記載の膜。
【請求項１０】
前記活性粒子が、抗菌粒子、抗ウイルス粒子、抗微生物粒子、抗真菌粒子及び任意のこれらの好適な組み合わせから成る群から選択される請求項１に記載の膜。
【請求項１１】
前記活性粒子が、活性炭、酸化アルミニウム（活性化アルミナ）、シリカゲル、ソーダ灰、アルミニウム三水和物、重曹、ｐ−メトキシ−２−エトキシエチルエステル桂皮酸（シノキサート）、酸化亜鉛、ゼオライト、二酸化チタン、分子フィルター型材料及び任意のこれらの好適な組み合わせから成る群から選択される請求項１に記載の膜。
【請求項１２】
前記少なくとも１つの取り除き可能なカプセル材料が、水溶性界面活性剤、界面活性剤、塩（たとえば、塩化ナトリウム、塩化カルシウム）、ポリマー塩、ポリビニルアルコール類、ワックス（たとえば、パラフィン、カルナウバ）、光反応性材料、分解性材料、生分解性材料、エトキシ化アセチレン性ジオール類、デンプン、潤滑剤、グリコール類、コーンスターチ、鉱物スピリッツ、有機溶媒、パラフィン系溶媒及び任意のこれらの好適な組み合わせから成る群から選択される請求項１に記載の膜。
【請求項１３】
前記活性粒子が、前記膜の約０％〜約７５％を構成する請求項１に記載の膜。
【請求項１４】
前記活性粒子が、前記膜の約３０％〜約５０％を構成する請求項１に記載の膜。
【請求項１５】
前記活性粒子が、前記膜の約０％〜約３０％を構成する請求項１に記載の膜。
【請求項１６】
前記活性粒子が、前記膜の約０％〜約５０％を構成する請求項１に記載の膜。
【請求項１７】
前記膜が、紡糸又は布である請求項１に記載の膜。
【請求項１８】
前記膜が、プラスチック材料である請求項１に記載の膜。
【請求項１９】
前記膜が、衣料品である請求項１に記載の膜。
【請求項２０】
前記膜が、布である請求項１に記載の膜。
【請求項２１】
前記膜が、被覆された布である請求項１に記載の膜。
【請求項２２】
前記膜が、ｅＰＴＦＥ上に被覆される請求項１に記載の膜。
【請求項２３】
前記膜が、被覆された衣料品である請求項１に記載の膜。
【請求項２４】
前記膜が、不織布膜を含む請求項１に記載の膜。
【請求項２５】
前記膜が、積層体である請求項１に記載の膜。
【請求項２６】
前記膜が、バッグ、発泡体、プラスチック成分、室内装飾品、カーペット、敷物、マット、シート、タオル、敷物、ペットの寝床、マットレスパッド、マットレス、カーテン、フィルター、靴、靴の中敷、おむつ、シャツ、ズボン、ブラウス、下着、保護服、及び任意のこれらの好適な組み合わせから成る群から選択される請求項１に記載の膜。
【請求項２７】
前記取り除き可能なカプセル材料が、第１の取り除き可能なカプセル材料であり、そして前記膜がさらに第２の取り除き可能なカプセル材料を含む請求項１に記載の膜。
【請求項２８】
組成物であって、
母材と、
該母材に接触した複数の活性粒子とを含み、該活性粒子が該組成物の水蒸気輸送能力を改善する組成物。
【請求項２９】
前記活性粒子が、前記組成物の約０％〜約７５％を構成する請求項２８に記載の組成物。
【請求項３０】
前記活性粒子が、前記組成物の約３０％〜約５０％を構成する請求項２８に記載の組成物。
【請求項３１】
前記活性粒子が、前記組成物の約０％〜約３０％を構成する請求項２８に記載の組成物。
【請求項３２】
前記活性粒子が、前記組成物の約２５％〜約７５％を構成する請求項２８に記載の組成物。
【請求項３３】
前記活性粒子が、前記組成物の約０％〜約５０％を構成する請求項２８に記載の組成物。
【請求項３４】
前記母材が非溶液状態に変換されると防水性特性を示す請求項２８に記載の組成物。
【請求項３５】
前記組成物が、少なくとも部分的には活性粒子によって帯電防止特性を持つ請求項２８に記載の組成物。
【請求項３６】
前記組成物が、少なくとも部分的には活性粒子によってステルス特性を持つ請求項２８に記載の組成物。
【請求項３７】
前記組成物が、少なくとも部分的には活性粒子によって臭気吸収特性を持つ請求項２８に記載の組成物。
【請求項３８】
前記組成物が、少なくとも部分的には活性粒子によって速乾性特性を持つ請求項２８に記載の組成物。
【請求項３９】
前記活性粒子が、活性炭、酸化アルミニウム（活性化アルミナ）、シリカゲル、ソーダ灰、アルミニウム三水和物、重曹、ｐ−メトキシ−２−エトキシエチルエステル桂皮酸（シノキサート）、酸化亜鉛、ゼオライト、二酸化チタン、分子フィルター型材料及び任意のこれらの好適な組み合わせから成る群から選択される請求項２８に記載の組成物。
【請求項４０】
取り除き可能なカプセル材料を取り除く前に前記活性粒子の少なくとも実質的な一部が非活性化されるのを防ぐのに有効な量の少なくとも１つの取り除き可能なカプセル材料をさらに含み、その際、前記活性粒子の少なくとも一部を再活性化して前記組成物の水蒸気輸送能力を改善するために前記取り除き可能なカプセル材料が取り除き可能である、請求項２８に記載の組成物。
【請求項４１】
前記少なくとも１つの取り除き可能なカプセル材料が、水溶性界面活性剤、界面活性剤、塩（たとえば、塩化ナトリウム、塩化カルシウム）、ポリマー塩、ポリビニルアルコール類、ワックス（たとえば、パラフィン、カルナウバ）、光反応性材料、分解性材料、生分解性材料、エトキシ化アセチレン性ジオール類、デンプン、潤滑剤、グリコール類、コーンスターチ、鉱物スピリッツ、有機溶媒、パラフィン系溶媒及び任意のこれらの好適な組み合わせから成る群から選択される請求項４０に記載の組成物。
【請求項４２】
組成物であって、
母材と、
該母材に接触した複数の活性粒子とを含み、該活性粒子が該組成物の帯電防止特性を改善する、組成物。
【請求項４３】
前記活性粒子が活性炭を含む請求項４２に記載の組成物。
【請求項４４】
前記活性粒子がゼオライトを含む請求項４２に記載の組成物。
【請求項４５】
前記活性粒子が、前記組成物の約３０％〜約５０％を構成する請求項４２に記載の組成物。
【請求項４６】
前記活性粒子が、前記組成物の約０％〜約３０％を構成する請求項４２に記載の組成物。
【請求項４７】
組成物であって、
母材と、
該母材に接触した複数の活性粒子とを含み、該活性粒子が該組成物のステルス特性を改善する、組成物。
【請求項４８】
前記活性粒子が活性炭を含む請求項４７に記載の組成物。
【請求項４９】
前記活性粒子がゼオライトを含む請求項４７に記載の組成物。
【請求項５０】
前記活性粒子が、前記組成物の約３０％〜約５０％を構成する請求項４７に記載の組成物。
【請求項５１】
前記活性粒子が、前記組成物の約０％〜約３０％を構成する請求項４７に記載の組成物。
【手続補正２】
【補正対象書類名】明細書
【補正対象項目名】０００７
【補正方法】変更
【補正の内容】
【０００７】
開示の概要
本開示は、活性粒子で強化された膜及びその製造方法及びその使用方法に関する。膜は、自立型の膜、又は母材上のコーティングであってもよい。本開示は、それ自体限定しないで、特に、防水性で通気性の膜及びその製造方法及びその使用方法に適用可能である。本開示はまた、特に、速乾性、臭気吸収性、帯電防止性の膜及びその製造方法及びその使用方法、並びに改善された赤外線（ＩＲ）吸収性を持つ膜及びその製造方法及びその使用方法にも適用可能である。
本発明は、例えば以下の項目を提供する。
（項目１）
通気性の膜であって、
母材溶液と
活性粒子が該母材溶液の通気性を改善することができる、該母材溶液と接触した複数の活性粒子と、
取り除き可能なカプセル材料を取り除く前に該活性粒子の少なくとも実質的な一部が非活性化されるのを防ぐのに有効な量の少なくとも１つの取り除き可能なカプセル材料とを含み、
その際、該活性粒子の少なくとも一部を再活性化して該膜の通気性を改善するために該取り除き可能なカプセル材料が取り除き可能である、膜。
（項目２）
前記母材が非溶液状態に変換されると防水性特性を示し、前記膜が防水性で通気性の膜である項目１に記載の膜。
（項目３）
前記膜が、少なくとも部分的には前記活性粒子によって帯電防止特性を持つ項目１に記載の膜。
（項目４）
前記膜が、少なくとも部分的には前記活性粒子によってステルス特性を持つ項目１に記載の膜。
（項目５）
前記膜が、少なくとも部分的には前記活性粒子によって臭気吸収特性を持つ項目１に記載の膜。
（項目６）
前記膜が、少なくとも部分的には前記活性粒子によって速乾性特性を持つ項目１に記載の膜。
（項目７）
前記母材溶液が、ポリウレタン溶液、ポリアクリル溶液、１，３プロパンジオールテレフタレート溶液及び任意のこれらの好適な組み合わせから成る群から選択される項目１に記載の膜。
（項目８）
前記活性粒子が活性炭を含む項目１に記載の膜。
（項目９）
前記活性粒子がゼオライトを含む項目１に記載の膜。
（項目１０）
前記活性粒子が、抗菌粒子、抗ウイルス粒子、抗微生物粒子、抗真菌粒子及び任意のこれらの好適な組み合わせから成る群から選択される項目１に記載の膜。
（項目１１）
前記活性粒子が、活性炭、酸化アルミニウム（活性化アルミナ）、シリカゲル、ソーダ灰、アルミニウム三水和物、重曹、ｐ−メトキシ−２−エトキシエチルエステル桂皮酸（シノキサート）、酸化亜鉛、ゼオライト、二酸化チタン、分子フィルター型材料及び任意のこれらの好適な組み合わせから成る群から選択される項目１に記載の膜。
（項目１２）
前記少なくとも１つの取り除き可能なカプセル材料が、水溶性界面活性剤、界面活性剤、塩（たとえば、塩化ナトリウム、塩化カルシウム）、ポリマー塩、ポリビニルアルコール類、ワックス（たとえば、パラフィン、カルナウバ）、光反応性材料、分解性材料、生分解性材料、エトキシ化アセチレン性ジオール類、デンプン、潤滑剤、グリコール類、コーンスターチ、鉱物スピリッツ、有機溶媒、パラフィン系溶媒及び任意のこれらの好適な組み合わせから成る群から選択される項目１に記載の膜。
（項目１３）
前記活性粒子が、前記膜の約０％〜約７５％を構成する項目１に記載の膜。
（項目１４）
前記活性粒子が、前記膜の約３０％〜約５０％を構成する項目１に記載の膜。
（項目１５）
前記活性粒子が、前記膜の約０％〜約３０％を構成する項目１に記載の膜。
（項目１６）
前記活性粒子が、前記膜の約０％〜約５０％を構成する項目１に記載の膜。
（項目１７）
前記膜が、紡糸又は布である項目１に記載の膜。
（項目１８）
前記膜が、プラスチック材料である項目１に記載の膜。
（項目１９）
前記膜が、衣料品である項目１に記載の膜。
（項目２０）
前記膜が、布である項目１に記載の膜。
（項目２１）
前記膜が、被覆された布である項目１に記載の膜。
（項目２２）
前記膜が、ｅＰＴＦＥ上に被覆される項目１に記載の膜。
（項目２３）
前記膜が、被覆された衣料品である項目１に記載の膜。
（項目２４）
前記膜が、不織布膜を含む項目１に記載の膜。
（項目２５）
前記膜が、積層体である項目１に記載の膜。
（項目２６）
前記膜が、バッグ、発泡体、プラスチック成分、室内装飾品、カーペット、敷物、マット、シート、タオル、敷物、ペットの寝床、マットレスパッド、マットレス、カーテン、フィルター、靴、靴の中敷、おむつ、シャツ、ズボン、ブラウス、下着、保護服、及び任意のこれらの好適な組み合わせから成る群から選択される項目１に記載の膜。
（項目２７）
前記取り除き可能なカプセル材料が、第１の取り除き可能なカプセル材料であり、そして前記膜がさらに第２の取り除き可能なカプセル材料を含む項目１に記載の膜。
（項目２８）
組成物であって、
母材と、
該母材に接触した複数の活性粒子とを含み、該活性粒子が該組成物の水蒸気輸送能力を改善する組成物。
（項目２９）
前記活性粒子が、前記組成物の約０％〜約７５％を構成する項目２８に記載の組成物。
（項目３０）
前記活性粒子が、前記組成物の約３０％〜約５０％を構成する項目２８に記載の組成物。
（項目３１）
前記活性粒子が、前記組成物の約０％〜約３０％を構成する項目２８に記載の組成物。
（項目３２）
前記活性粒子が、前記組成物の約２５％〜約７５％を構成する項目２８に記載の組成物。
（項目３３）
前記活性粒子が、前記組成物の約０％〜約５０％を構成する項目２８に記載の組成物。
（項目３４）
前記母材が非溶液状態に変換されると防水性特性を示す項目２８に記載の組成物。
（項目３５）
前記組成物が、少なくとも部分的には活性粒子によって帯電防止特性を持つ項目２８に記載の組成物。
（項目３６）
前記組成物が、少なくとも部分的には活性粒子によってステルス特性を持つ項目２８に記載の組成物。
（項目３７）
前記組成物が、少なくとも部分的には活性粒子によって臭気吸収特性を持つ項目２８に記載の組成物。
（項目３８）
前記組成物が、少なくとも部分的には活性粒子によって速乾性特性を持つ項目２８に記載の組成物。
（項目３９）
前記活性粒子が、活性炭、酸化アルミニウム（活性化アルミナ）、シリカゲル、ソーダ灰、アルミニウム三水和物、重曹、ｐ−メトキシ−２−エトキシエチルエステル桂皮酸（シノキサート）、酸化亜鉛、ゼオライト、二酸化チタン、分子フィルター型材料及び任意のこれらの好適な組み合わせから成る群から選択される項目２８に記載の組成物。
（項目４０）
取り除き可能なカプセル材料を取り除く前に前記活性粒子の少なくとも実質的な一部が非活性化されるのを防ぐのに有効な量の少なくとも１つの取り除き可能なカプセル材料をさらに含み、その際、前記活性粒子の少なくとも一部を再活性化して前記組成物の水蒸気輸送能力を改善するために前記取り除き可能なカプセル材料が取り除き可能である、項目２８に記載の組成物。
（項目４１）
前記少なくとも１つの取り除き可能なカプセル材料が、水溶性界面活性剤、界面活性剤、塩（たとえば、塩化ナトリウム、塩化カルシウム）、ポリマー塩、ポリビニルアルコール類、ワックス（たとえば、パラフィン、カルナウバ）、光反応性材料、分解性材料、生分解性材料、エトキシ化アセチレン性ジオール類、デンプン、潤滑剤、グリコール類、コーンスターチ、鉱物スピリッツ、有機溶媒、パラフィン系溶媒及び任意のこれらの好適な組み合わせから成る群から選択される項目４０に記載の組成物。
（項目４２）
通気性の膜を製造する方法であって、該方法は、
複数の活性粒子を少なくとも１つの取り除き可能なカプセル材料に内包して内包された活性粒子を製造することと、
該内包された粒子を母材溶液と混合して混合溶液を得ることと、
該混合溶液を非溶液形態に変換して該通気性の膜を製造することとを含み、その際、該膜の通気性特性は、少なくとも部分的には該活性粒子の混合によるものである、方法。
（項目４３）
前記母材溶液が非溶液形態に変換されると防水性特性をさらに示す項目４２に記載の方法。
（項目４４）
前記膜が、少なくとも部分的には前記活性粒子の混合によって帯電防止特性を持つ項目４２に記載の方法。
（項目４５）
前記膜が、少なくとも部分的には前記活性粒子の混合によって速乾性特性を持つ項目４２に記載の方法。
（項目４６）
前記膜が、少なくとも部分的には前記活性粒子の混合によって臭気吸収特性を持つ項目４２に記載の方法。
（項目４７）
前記膜が、少なくとも部分的には前記活性粒子の混合によってステルス特性を持つ項目４２に記載の方法。
（項目４８）
前記内包と前記混合が単一の工程で行われる項目４２に記載の方法。
（項目４９）
さらに、前記内包された活性粒子から前記カプセル材料の少なくとも一部を取り除くことを含む項目４２に記載の方法。
（項目５０）
前記取り除くことが前記カプセル材料を溶解することを含む項目４９に記載の方法。
（項目５１）
前記取り除くことが前記カプセル材料を蒸発させることを含む項目４９に記載の方法。
（項目５２）
前記カプセル材料が前記活性粒子を非活性化し、前記取り除くことが前記活性粒子を再活性化することを含む項目４９に記載の方法。
（項目５３）
前記母材溶液が、ポリウレタン溶液、ポリアクリル溶液、１，３プロパンジオールテレフタレート溶液及び任意のこれらの好適な組み合わせから成る群から選択される項目４２に記載の方法。
（項目５４）
前記活性粒子が活性炭を含む項目４２に記載の方法。
（項目５５）
前記活性粒子がゼオライトを含む項目４２に記載の方法。
（項目５６）
前記活性粒子が、抗菌粒子、抗ウイルス粒子、抗微生物粒子、抗真菌粒子及び任意のこれらの好適な組み合わせから成る群から選択される項目４２に記載の方法。
（項目５７）
前記活性粒子が、活性炭、酸化アルミニウム（活性化アルミナ）、シリカゲル、ソーダ灰、アルミニウム三水和物、重曹、ｐ−メトキシ−２−エトキシエチルエステル桂皮酸（シノキサート）、酸化亜鉛、ゼオライト、二酸化チタン、分子フィルター型材料及び任意のこれらの好適な組み合わせから成る群から選択される項目４２に記載の方法。
（項目５８）
前記少なくとも１つの取り除き可能なカプセル材料が、水溶性界面活性剤、界面活性剤、塩（たとえば、塩化ナトリウム、塩化カルシウム）、ポリマー塩、ポリビニルアルコール類、ワックス、光反応性材料、分解性材料、生分解性材料、エトキシ化アセチレン性ジオール類、デンプン、潤滑剤、グリコール類、コーンスターチ、鉱物スピリッツ、有機溶媒、パラフィン系溶媒及び任意のこれらの好適な組み合わせから成る群から選択される項目４２に記載の方法。
（項目５９）
前記活性粒子が、膜の約０％〜約７５％を構成する項目４２に記載の方法。
（項目６０）
前記活性粒子が、膜の約３０％〜約５０％を構成する項目４２に記載の方法。
（項目６１）
前記活性粒子が、膜の約０％〜約３０％を構成する項目４２に記載の方法。
（項目６２）
前記内包することが、第１の取り除き可能なカプセル材料で活性粒子を内包することと、第２の取り除き可能なカプセル材料で前記活性粒子を内包することとを含む項目４２に記載の方法。
（項目６３）
組成物であって、
母材と、
該母材に接触した複数の活性粒子とを含み、該活性粒子が該組成物の帯電防止特性を改善する、組成物。
（項目６４）
前記活性粒子が活性炭を含む項目６３に記載の組成物。
（項目６５）
前記活性粒子がゼオライトを含む項目６３に記載の組成物。
（項目６６）
前記活性粒子が、前記組成物の約３０％〜約５０％を構成する項目６３に記載の組成物。
（項目６７）
前記活性粒子が、前記組成物の約０％〜約３０％を構成する項目６３に記載の組成物。
（項目６８）
組成物であって、
母材と、
該母材に接触した複数の活性粒子とを含み、該活性粒子が該組成物のステルス特性を改善する、組成物。
（項目６９）
前記活性粒子が活性炭を含む項目６８に記載の組成物。
（項目７０）
前記活性粒子がゼオライトを含む項目６８に記載の組成物。
（項目７１）
前記活性粒子が、前記組成物の約３０％〜約５０％を構成する項目６８に記載の組成物。
（項目７２）
前記活性粒子が、前記組成物の約０％〜約３０％を構成する項目６８に記載の組成物。